(57)【要約】【課題】電力会社、他の会社、および、需要者の三者の間の関係を反映させた料金の算出を容易にすることができる料金算出装置、料金算出システム、料金算出方法、およびプログラムを提供する。【解決手段】需要者が使用した電力の使用量に関する情報である使用量情報、需要者に電力を供給する電力会社において設定され、電力の使用量に関する料金の算出に用いられる第１係数、および、需要者に提供される特典に関する権利を有する他社において設定され、電力の使用量に関する料金の算出に用いられる第２係数を取得する取得部４１と、取得した使用量情報、第１係数、および、第２係数に基づいて電力の使用量に関する料金を算出する演算部４２と、が設けられていることを特徴とする。【選択図】  図１
2018173872.tif 000002
【特許請求の範囲】
【請求項１】
需要者が使用した電力の使用量に関する情報である使用量情報、前記需要者に電力を供給する電力会社において設定され、前記電力の使用量に関する料金の算出に用いられる第１係数、および、前記需要者に提供される特典に関する権利を有する他社において設定され、前記電力の使用量に関する料金の算出に用いられる第２係数を取得する取得部と、
取得した前記使用量情報、前記第１係数、および、前記第２係数に基づいて前記電力の使用量に関する料金を算出する演算部と、
が設けられていることを特徴とする料金算出装置。
【請求項２】
前記第１係数は、前記電力会社から前記需要者に請求される電力料金の算出に用いられる係数であり、
前記第２係数は、前記電力料金の算出に用いられる前記第１係数とは別に定められる係数であり、
前記演算部は、前記使用量情報に含まれる前記需要者が使用した電力の使用量の情報、前記第１係数、および、前記第２係数に基づいて、前記電力の使用量に関する料金として前記電力料金を算出することを特徴とする請求項１記載の料金算出装置。
【請求項３】
前記第１係数は、前記電力を使用する前記需要者に対して提供される前記特典について、当該特典の使用について前記電力会社から前記他社に支払われる使用対価の算出に用いられる係数であり、
前記第２係数は、前記使用対価の算出に用いられる前記第１係数とは別に定められる係数であり、
前記演算部は、前記使用量情報、前記第１係数、および、前記第２係数に基づいて、前記電力の使用量に関する料金として前記使用対価を算出することを特徴とする請求項１または２に記載の料金算出装置。
【請求項４】
需要者が使用した電力の使用量に関する情報である使用量情報が記憶される第１データベースと、
前記需要者に電力を供給する電力会社において設定され、前記電力の使用量に関する料金の算出に用いられる第１係数が記憶される第２データベースと、
前記需要者に提供する特典に関する権利を有する他社において設定され、前記電力の使用量に関する料金の算出に用いられる第２係数が記憶される第３データベースと、
前記第１データベース、前記第２データベース、前記第３データベースと情報通信可能に接続される請求項１から３のいずれかに記載の料金算出装置と、
が設けられていることを特徴とする料金算出システム。
【請求項５】
需要者が使用した電力の使用量に関する情報である使用量情報が記憶される第１データベースと、
前記需要者に電力を供給する電力会社において設定される前記電力の単位使用量当たりの料金である第１係数が記憶される第２データベースと、
前記需要者に提供する特典に関する権利を有する他社において設定される前記電力の単位使用量当たりの料金である第２係数が記憶される第３データベースと、
前記第１データベース、前記第２データベース、前記第３データベースと情報通信可能に接続される請求項３に記載の料金算出装置と、
前記料金算出装置と情報通信可能に接続され、前記料金算出装置から取得した前記使用対価に基づいて前記他社から前記需要家に提供する前記特典を決定する特典決定装置と、が設けられていることを特徴とする料金算出システム。
【請求項６】
需要者が使用した電力の使用量に関する情報である使用量情報が記憶される第１データ
ベースと、
前記需要者に電力を供給する電力会社において設定される前記電力の単位使用量当たりの料金である第１係数が記憶される第２データベースと、
前記需要者に提供する特典に関する権利を有する他社において設定される前記電力の単位使用量当たりの料金である第２係数が記憶される第３データベースと、
前記第１データベース、前記第２データベース、前記第３データベースと情報通信可能に接続される請求項２または３に記載の料金算出装置と、
前記料金算出装置と情報通信可能に接続され、前記料金算出装置から取得した前記電力料金に基づいて、前記需要家に送る前記電力料金が記載されるとともに前記特典を含む明細書を作成する明細書作成装置と、が設けられていることを特徴とする料金算出システム。
【請求項７】
需要者が使用した電力の使用量に関する情報である使用量情報を取得する使用量情報取得ステップと、
前記需要者に電力を供給する電力会社において設定され、前記電力の使用量に関する料金の算出に用いられる第１係数を取得する第１係数取得ステップと、
前記需要者に提供される特典に関する権利を有する他社において設定され、前記電力の使用量に関する料金の算出に用いられる第２係数を取得する第２係数取得ステップと、
前記使用量情報、前記第１係数、および、前記第２係数に基づいて前記電力の使用量に関する料金を算出する算出ステップと、
を有することを特徴とする料金算出方法。
【請求項８】
コンピュータに、
需要者が使用した電力の使用量に関する情報である使用量情報を取得する使用量情報取得機能と、
前記需要者に電力を供給する電力会社において設定され、前記電力の使用量に関する料金の算出に用いられる第１係数を取得する第１係数取得機能と、
前記需要者に提供される特典に関する権利を有する他社において設定され、前記電力の使用量に関する料金の算出に用いられる第２係数を取得する第２係数取得機能と、
前記使用量情報、前記第１係数、および、前記第２係数に基づいて前記電力の使用量に関する料金を算出する算出機能と、
を発揮させることを特徴とするプログラム。
【請求項９】
需要者が使用した電力の使用量に関する情報である使用量情報が記憶される第１データベースと、前記需要者に電力を供給する電力会社において設定され、前記需要者に提供する特典に関する権利を有する他社から前記需要家に提供する前記特典の決定に用いられる第１係数が記憶される第２データベースと、前記他社において設定され、前記他社から前記需要家に提供する前記特典の決定に用いられる第２係数が記憶される第３データベースと情報通信可能に接続され、前記使用量情報と、前記第１係数および前記第２係数の少なくとも一方に基づいて前記他社から前記需要家に提供する前記特典を決定する複数の特典決定装置と、情報通信可能に接続された入出力部と、
前記需要者を特定する需要者情報と、当該需要者が選択した前記他社に関する前記特典決定装置を特定する他社情報と、を紐付けして記憶する記憶部と、
前記記憶部に紐付けされた記憶された前記需要者情報および前記他社情報に基づき、前記他社情報に対応する前記特典決定装置について、前記需要者情報に対応する前記需要者について前記特典を決定する処理を行う場合に前記第１データベースから前記使用量情報の取得、前記第２データベースから前記第１係数の取得を許可する制御を前記入出力部に対して行う制御部と、
が設けられていることを特徴とする切替え装置。
【請求項１０】
前記入出力部は、外部の情報端末と前記他社に関する前記特典決定装置の選択を変更する切替え指示信号が入力可能に接続され、
前記制御部は、入力された前記切替え指示信号に基づいて、前記記憶部に記憶された前記需要者情報に紐付けされた前記他社情報を、前記切替え指示信号に係る他社情報に変更する制御を行うことを特徴とする請求項９記載の切替え装置。
【請求項１１】
需要者が使用した電力の使用量に関する情報である使用量情報が記憶される第１データベースと、
前記需要者に電力を供給する電力会社において設定され、前記需要者に提供する特典に関する権利を有する他社から前記需要家に提供する前記特典の決定に用いられる第１係数が記憶される第２データベースと、
前記他社において設定され、前記他社から前記需要家に提供する前記特典の決定に用いられる第２係数が記憶される第３データベースと情報通信可能に接続され、前記使用量情報と、前記第１係数および前記第２係数の少なくとも一方に基づいて前記他社から前記需要家に提供する前記特典を決定する複数の特典決定装置と、
請求項９または１０に記載の切替え装置と、
が設けられていることを特徴とする切替えシステム。
【請求項１２】
請求項９に記載の切替え装置における切替え方法であって、
前記特典決定装置から当該特典決定装置を特定する他社情報、および、提供する前記特典を決定する前記需要者を特定する前記需要者情報が含まれ、前記第１データベースまたは前記第２データベースへのアクセスを要求する要求信号が入力される入力ステップと、
前記記憶部に記憶された前記需要者情報およびこれに紐付けされた前記他社情報と、前記要求信号に含まれる前記他社情報および前記需要者情報と、を比較する比較ステップと、
前記記憶部に記憶された前記需要者情報およびこれに紐付けされた前記他社情報の組み合わせと、前記要求信号に含まれる前記他社情報および前記需要者情報の組み合わせが一致している場合には、前記特典決定装置から前記第１データベースまたは前記第２データベースへのアクセスを許可する許可ステップと、
を有することを特徴とする切替え方法。
【請求項１３】
請求項９に記載の切替え装置に、
前記特典決定装置から当該特典決定装置を特定する他社情報、および、提供する前記特典を決定する前記需要者を特定する前記需要者情報が含まれ、前記第１データベースまたは前記第２データベースへのアクセスを要求する要求信号が入力される入力機能と、
前記記憶部に記憶された前記需要者情報およびこれに紐付けされた前記他社情報と、前記要求信号に含まれる前記他社情報および前記需要者情報と、を比較する比較機能と、
前記記憶部に記憶された前記需要者情報およびこれに紐付けされた前記他社情報の組み合わせと、前記要求信号に含まれる前記他社情報および前記需要者情報の組み合わせが一致している場合には、前記特典決定装置から前記第１データベースまたは前記第２データベースへのアクセスを許可する許可機能と、
を発揮させることを特徴とするプログラム。
【発明の詳細な説明】
【技術分野】
【０００１】
本発明は、料金算出装置、料金算出システム、料金算出方法、切替え装置、切替えシステム、切替え方法、およびプログラムに関する。
【背景技術】
【０００２】
従来は、地域で決められた一つの電力会社と需要者との間で契約を結び、電力の売買が行われていた。２０１６年４月１日以降は、電力の小売業への参入が全面自由化されたことに伴い、需要者は複数の電力会社から自ら選んだ電力会社と契約を結んで、電力の購入をすることができるようになった。
【０００３】
電力は、他の商品と異なりそれ自体で他社の製品（電力）との違いを出すことが難しいという特色がある。その一方で、電力会社においては、電力の購入先を他の電力会社から自社へ変更する需要者を増やしたい、または、自社から他の電力会社へ変更する需要者を減らしたいという要望がある。このような要望を満たすために、電力の購入に付随した種々のサービスの提供が検討されている（例えば、特許文献１参照。）。
【先行技術文献】
【特許文献】
【０００４】
【特許文献１】特開２００６−２０９２６８号公報
【発明の概要】
【発明が解決しようとする課題】
【０００５】
上述の提供されるサービスとしては、特許文献１に記載のポイントサービス提供システムのように電力会社と需要者にインターネット会社（以下、「他の会社」とも表記する。）を加えて、需要者がインターネットに接続した時間に応じて電力使用料の割引に適用できるポイントを当該需要者に付与するサービスを提供する方法等が知られている。
【０００６】
しかしながら、特許文献１に記載の方法では、サービスの内容に関与するのは電力会社のみであるため、電力会社、他の会社、および、需要者の三者の間の関係を反映させたサービスの提供が困難であるという問題があった。
【０００７】
また、電力の小売業への参入が全面自由化されたことにより、電力会社が複数の電力サービスを展開すること、例えば、異なるブランド名（「特定の球団名＋電力」や「特定のアイドル名＋電力」など）を用いて電力を供給することも可能となる。この電力サービスは、他の会社と提携して、需要者に対して電力の供給とサービスの提供を行うことができる。
【０００８】
需要者は、複数の電力サービスから好みの電力サービス、および、これと提携する他の会社（以下「電力サービス等」とも表記する。）を選択して契約を結ぶことが可能であり、かつ、契約を結ぶ電力サービス等を変更することも可能である。
【０００９】
その一方で、変更先の電力サービスは、需要者と契約を結ぶ場合に重要事項説明の確認をする必要があり、電力サービス等の変更手続を簡素にできないという問題があった。また、上述のように需要者が電力を購入する電力サービス等を変更する場合、変更の前後での需要者の個人情報の混同を抑制する必要があるという問題もあった。
【００１０】
本発明は、上記の課題を解決するためになされたものであって、その第１の目的は、電力会社、他の会社、および、需要者の三者の間の関係を反映させた料金の算出を容易にすることができる料金算出装置、料金算出システム、料金算出方法、およびプログラムを提供することにある。
【００１１】
第２の目的は、電力の購入先を変更する手続を簡素にするとともに、個人情報の保護を図りやすくすることができる切替え装置、切替えシステム、切替え方法、およびプログラムを提供することにある。
【課題を解決するための手段】
【００１２】
上記目的を達成するために、本発明は、以下の手段を提供する。
本発明の第１の態様に係る料金算出装置は、需要者が使用した電力の使用量に関する情報である使用量情報、前記需要者に電力を供給する電力会社において設定され、前記電力の使用量に関する料金の算出に用いられる第１係数、および、前記需要者に提供される特典に関する権利を有する他社において設定され、前記電力の使用量に関する料金の算出に用いられる第２係数を取得する取得部と、取得した前記使用量情報、前記第１係数、および、前記第２係数に基づいて前記電力の使用量に関する料金を算出する演算部と、が設けられていることを特徴とする。
【００１３】
本発明の第２の態様に係る料金算出システムは、需要者が使用した電力の使用量に関する情報である使用量情報が記憶される第１データベースと、前記需要者に電力を供給する電力会社において設定され、前記電力の使用量に関する料金の算出に用いられる第１係数が記憶される第２データベースと、前記需要者に提供する特典に関する権利を有する他社において設定され、前記電力の使用量に関する料金の算出に用いられる第２係数が記憶される第３データベースと、前記第１データベース、前記第２データベース、前記第３データベースと情報通信可能に接続される本発明の第１の態様に係る料金算出装置と、が設けられていることを特徴とする。
【００１４】
本発明の第３の態様に係る料金算出方法は、需要者が使用した電力の使用量に関する情報である使用量情報を取得する使用量情報取得ステップと、記需要者に電力を供給する電力会社において設定され、前記電力の使用量に関する料金の算出に用いられる第１係数を取得する第１係数取得ステップと、前記需要者に提供される特典に関する権利を有する他社において設定され、前記電力の使用量に関する料金の算出に用いられる第２係数を取得する第２係数取得ステップと、前記使用量情報、前記第１係数、および、前記第２係数に基づいて前記電力の使用量に関する料金を算出する算出ステップと、を有することを特徴とする。
【００１５】
本発明の第４の態様に係るプログラムは、コンピュータに、需要者が使用した電力の使用量に関する情報である使用量情報を取得する使用量情報取得機能と、前記需要者に電力を供給する電力会社において設定され、前記電力の使用量に関する料金の算出に用いられる第１係数を取得する第１係数取得機能と、前記需要者に提供される特典に関する権利を有する他社において設定され、前記電力の使用量に関する料金の算出に用いられる第２係数を取得する第２係数取得機能と、前記使用量情報、前記第１係数、および、前記第２係数に基づいて前記電力の使用量に関する料金を算出する算出機能と、を発揮させることを特徴とする。
【００１６】
本発明の第１の態様に係る料金算出装置、第２の態様に係る料金算出システム、第３の態様に係る料金算出方法、および、第４の態様に係るプログラムによれば、電力会社が第１係数を定め、他社が第２係数を定めることができるため、電力会社と需要者との間の関
係、他社と需要者との間の関係を反映させた料金の算出が可能となる。
【００１７】
上記発明の第１の態様において前記第１係数は、前記電力会社から前記需要者に請求される電力料金の算出に用いられる係数であり、前記第２係数は、前記電力料金の算出に用いられる前記第１係数とは別に定められる係数であり、前記演算部は、前記使用量情報に含まれる前記需要者が使用した電力の使用量の情報、前記第１係数、および、前記第２係数に基づいて、前記電力の使用量に関する料金として前記電力料金を算出することが好ましい。
【００１８】
このように第１係数を電力料金の算出に用いられる係数とし、第２係数を第１係数とは別に定められる電力料金の算出に用いられる係数とすることにより、電力会社と需要者との間の関係、他社と需要者との間の関係を反映させた電力料金の算出が可能となる。
【００１９】
なお第１係数としては、電力の単位使用量当たりの単位料金や、電力会社と契約を結んだ需要者の数に基づいて定められる付加率を例示することができる。また第２係数としては、他社に登録されている需要者の数に基づいて定められる付加率を例示することができる。
【００２０】
上記発明の第１の態様において前記第１係数は、前記電力を使用する前記需要者に対して提供される前記特典について、当該特典の使用について前記電力会社から前記他社に支払われる使用対価の算出に用いられる係数であり、前記第２係数は、前記使用対価の算出に用いられる前記第１係数とは別に定められる係数であり、前記演算部は、前記使用量情報、前記第１係数、および、前記第２係数に基づいて、前記電力の使用量に関する料金として前記使用対価を算出することが好ましい。
【００２１】
このように第１係数を特典の使用対価の算出に用いられる係数とし、第２係数を第１係数とは別に定められる使用対価の算出に用いられる係数とすることにより、電力会社と需要者との間の関係、他社と需要者との間の関係を反映させた使用対価の算出が可能となる。
【００２２】
なお第１係数としては、電力の単位使用量当たりの単位料金や、電力会社において予め定められる付加率や、電力会社と契約を結んだ需要者の数に基づいて定められる付加率や、電力会社から需要者に提供される特典に基づく付加率や、需要者が電力会社と契約を結ぶに至った経緯に基づく付加率を例示することができる。また第２係数としては、他社が需要者に提供する特典に基づく付加率を例示することができる。
【００２３】
本発明の第２の態様に係る料金算出システムは、需要者が使用した電力の使用量に関する情報である使用量情報が記憶される第１データベースと、前記需要者に電力を供給する電力会社において設定される前記電力の単位使用量当たりの料金である第１係数が記憶される第２データベースと、前記需要者に提供する特典に関する権利を有する他社において設定される前記電力の単位使用量当たりの料金である第２係数が記憶される第３データベースと、前記第１データベース、前記第２データベース、前記第３データベースと情報通信可能に接続される本発明の第１の態様に係る料金算出装置と、前記料金算出装置と情報通信可能に接続され、前記料金算出装置から取得した前記使用対価に基づいて前記他社から前記需要家に提供する前記特典を決定する特典決定装置と、が設けられていることを特徴とする。
【００２４】
このように特典決定装置を使用することにより、他社は電力会社から支払われる使用対価に応じた特典を決定することができる。特典の決定方法としては、使用対価と特典との関係を定めたテーブルに基づいて決定する方法を例示することができる。
【００２５】
本発明の第２の態様に係る料金算出システムは、需要者が使用した電力の使用量に関する情報である使用量情報が記憶される第１データベースと、前記需要者に電力を供給する電力会社において設定される前記電力の単位使用量当たりの料金である第１係数が記憶される第２データベースと、前記需要者に提供する特典に関する権利を有する他社において設定される前記電力の単位使用量当たりの料金である第２係数が記憶される第３データベースと、前記第１データベース、前記第２データベース、前記第３データベースと情報通信可能に接続される本発明の第１の態様に係る料金算出装置と、前記料金算出装置と情報通信可能に接続され、前記料金算出装置から取得した前記電力料金に基づいて、前記需要家に送る前記電力料金が記載されるとともに前記特典を含む明細書を作成する明細書作成装置と、が設けられていることを特徴とする。
【００２６】
このように明細書作成装置を用いることにより、電力会社は特典が含まれた明細書を作成することができる。明細書に含まれる特典は、電力会社と他社との間で予め使用できる範囲が定められたものを例示することができる。
【００２７】
本発明の第５の態様に係る切替え装置は、需要者が使用した電力の使用量に関する情報である使用量情報が記憶される第１データベースと、前記需要者に電力を供給する電力会社において設定され、前記需要者に提供する特典に関する権利を有する他社から前記需要家に提供する前記特典の決定に用いられる第１係数が記憶される第２データベースと、前記他社において設定され、前記他社から前記需要家に提供する前記特典の決定に用いられる第２係数が記憶される第３データベースと情報通信可能に接続され、前記使用量情報と、前記第１係数および前記第２係数の少なくとも一方に基づいて前記他社から前記需要家に提供する前記特典を決定する複数の特典決定装置と、情報通信可能に接続された入出力部と、前記需要者を特定する需要者情報と、当該需要者が選択した前記他社に関する前記特典決定装置を特定する他社情報と、を紐付けして記憶する記憶部と、前記記憶部に紐付けされた記憶された前記需要者情報および前記他社情報に基づき、前記他社情報に対応する前記特典決定装置について、前記需要者情報に対応する前記需要者について前記特典を決定する処理を行う場合に前記第１データベースから前記使用量情報の取得、前記第２データベースから前記第１係数の取得を許可する制御を前記入出力部に対して行う制御部と、が設けられていることを特徴とする。
【００２８】
本発明の第６の態様に係る切替えシステムは、需要者が使用した電力の使用量に関する情報である使用量情報が記憶される第１データベースと、前記需要者に電力を供給する電力会社において設定され、前記需要者に提供する特典に関する権利を有する他社から前記需要家に提供する前記特典の決定に用いられる第１係数が記憶される第２データベースと、前記他社において設定され、前記他社から前記需要家に提供する前記特典の決定に用いられる第２係数が記憶される第３データベースと情報通信可能に接続され、前記使用量情報と、前記第１係数および前記第２係数の少なくとも一方に基づいて前記他社から前記需要家に提供する前記特典を決定する複数の特典決定装置と、本発明の第５の態様に係る切替え装置と、が設けられていることを特徴とする。
【００２９】
本発明の第７の態様に係る切替え方法は、本発明の第５の態様に係る切替え装置における切替え方法であって、前記特典決定装置から当該特定決定装置を特定する他社情報、および、提供する前記特典を決定する前記需要者を特定する前記需要者情報が含まれ、前記第１データベースまたは前記第２データベースへのアクセスを要求する要求信号が入力される入力ステップと、前記記憶部に記憶された前記需要者情報およびこれに紐付けされた前記他社情報と、前記要求信号に含まれる前記他社情報および前記需要者情報と、を比較する比較ステップと、前記記憶部に記憶された前記需要者情報およびこれに紐付けされた前記他社情報の組み合わせと、前記要求信号に含まれる前記他社情報および前記需要者情
報の組み合わせが一致している場合には、前記特典決定装置から前記第１データベースまたは前記第２データベースへのアクセスを許可する許可ステップと、を有することを特徴とする。
【００３０】
本発明の第８の態様に係るプログラムは、本発明の第５の態様に係る切替え装置に、前記特典決定装置から当該特定決定装置を特定する他社情報、および、提供する前記特典を決定する前記需要者を特定する前記需要者情報が含まれ、前記第１データベースまたは前記第２データベースへのアクセスを要求する要求信号が入力される入力機能と、前記記憶部に記憶された前記需要者情報およびこれに紐付けされた前記他社情報と、前記要求信号に含まれる前記他社情報および前記需要者情報と、を比較する比較機能と、前記記憶部に記憶された前記需要者情報およびこれに紐付けされた前記他社情報の組み合わせと、前記要求信号に含まれる前記他社情報および前記需要者情報の組み合わせが一致している場合には、前記特典決定装置から前記第１データベースまたは前記第２データベースへのアクセスを許可する許可機能と、を発揮させることを特徴とする。
【００３１】
本発明の第５の態様に係る切替え装置、第６の態様に係る切替えシステム、本発明の第７の態様に係る切替え方法、および、本発明の第８の態様に係るプログラムによれば、需要者情報に対応する需要者について特典を決定する処理を行う場合に、第１データベースから使用量情報の取得、第２データベースから第１係数の取得が可能となる。そのため、他社の特典決定装置が制限なく第１データベースや第２データベースにアクセスすることが抑制される。
【００３２】
また、電力会社が展開する複数の電力サービス（複数の電力サービスのそれぞれが、異なる他社と提携関係を結んでいる）の間で電力の購入先を変更した場合には、需要者情報に紐付けされた他社情報を、変更後の電力サービスと提携した他社に関する他社情報に変更するだけでよい。
【００３３】
上記発明の第５の態様において前記入出力部は、外部の情報端末と前記他社に関する前記特典決定装置の選択を変更する切替え指示信号が入力可能に接続され、前記制御部は、入力された前記切替え指示信号に基づいて、前記記憶部に記憶された前記需要者情報に紐付けされた前記他社情報を、前記切替え指示信号に係る他社情報に変更する制御を行うことが好ましい。
【００３４】
このようにすることにより、記憶部に記憶された需要者情報に紐づけされた他社情報を、需要者は外部の情報端末から別の他社情報に変更することができる。そのため、需要者は外部の情報端末から電力会社が展開する電力サービス、および、これと提携する他社を変更する手続をおこなうことができる。
【発明の効果】
【００３５】
本発明の第１の態様に係る料金算出装置、第２の態様に係る料金算出システム、第３の態様に係る料金算出方法、および、第４の態様に係るプログラムによれば、電力会社が第１係数を定め、他社が第２係数を定めることができるため、電力会社、他の会社、および、需要者の三者の間の関係を反映させた料金の算出を容易にすることができるという効果を奏する。
【００３６】
本発明の第５の態様に係る切替え装置、第６の態様に係る切替えシステム、本発明の第７の態様に係る切替え方法、および、本発明の第８の態様に係るプログラムによれば、需要者情報に対応する需要者について特典を決定する処理を行う場合にのみ、第１データベースから使用量情報の取得、第２データベースから第１係数の取得が可能となるため、電力の購入先を変更する手続を簡素にするとともに、個人情報の保護を図りやすくすること
ができるという効果を奏する。
【図面の簡単な説明】
【００３７】
【図１】本発明の第１の実施形態に係る料金算出システムの概要を説明するブロック図である。
【図２】第２ＤＢにおける第１係数である第１付加率を説明する図である。
【図３】サーバにおける電力料金の算出を説明するフローチャートである。
【図４】発明の第１の実施形態の第１変形例に係る料金算出システムの概要を説明するブロック図である。
【図５】図５（ａ）は第２ＤＢにおける第１係数である第３付加率を説明する図であり、図５（ｂ）は第４付加率を説明する図であり、図５（ｃ）は第５付加率を説明する図であり、図５（ｄ）は第６付加率を説明する図である。
【図６】第３ＤＢにおける第２係数である第７付加率を説明する図である。
【図７】サーバにおける電力料金および使用対価の算出を説明するフローチャートである。
【図８】発明の第１の実施形態の第２変形例に係る料金算出システムの概要を説明するブロック図である。
【図９】サーバにおける明細書の作成を説明するフローチャートである。
【図１０】発明の第２の実施形態に係る切替えシステムの概要を説明するブロック図である。
【図１１】切替えサーバにおける切替え制御の内容を説明するフローチャートである。
【発明を実施するための形態】
【００３８】
〔第１の実施形態〕
この発明の第１の実施形態に係る料金算出システム１について、図１から図３を参照しながら説明する。本実施形態では、本発明の料金算出システム１を、需要者、電力を需要者に供給する電力会社、および、需要者に提供される特典に関する権利を有する他の会社（以後「他社」とも表記する。）の三者の間の関係を反映させた使用した電力の料金である電力料金を算出するシステムに適用して説明する。
【００３９】
本実施形態では、電力会社が複数の電力サービスを展開し、異なるブランド名（「特定の球団名＋電力」や「特定のアイドル名＋電力」など）を用いて電力を供給する例に適用して説明する。また他社が、野球の球団やサッカーのクラブチームなどの運営会社やファンクラブや、アイドルのマネジメント会社やファンクラブである例に適用して説明する。
【００４０】
本実施形態の料金算出システム１には、図１に示すように、第１データベース１０（以後「第１ＤＢ１０」と表記する。）と、第２データベース２０（以後「第２ＤＢ２０」と表記する。）と、第３データベース３０（以後「第３ＤＢ３０」と表記する。）と、サーバ（料金算出装置）４０と、が主に設けられている。
【００４１】
第１ＤＢ１０は、通信ネットワークを介してサーバ４０と通信可能に接続されるものであり、需要者が使用した電力の使用量に関する情報である使用量情報が記憶されるものである。また第１ＤＢ１０は、通信ネットワークを介して需要者の電力の使用量を計測するスマートメータなどの計測器１１と通信可能に接続されている。
【００４２】
第１ＤＢ１０に記憶される使用量情報は、計測器１１により計測されて第１ＤＢ１０に入力され記憶されたものである。本実施形態では、計測器１１から所定の時間間隔をあけて計測した電力の使用量が第１ＤＢ１０に入力される例に適用して説明する。
【００４３】
第２ＤＢ２０は、通信ネットワークを介してサーバ４０と通信可能に接続されるものであり、電力会社と契約を結んだ需要者の数であって電力会社が展開する電力サービスと紐付けされた需要者の数と、電力会社から需要者に請求される電力料金の算出に用いられる第１係数が記憶されるものである。なお、第１係数は、電力会社において設定される係数である。
【００４４】
本実施形態では、第１係数が、電力の単位使用量あたりの単位料金と、電力会社が展開する複数の電力サービスのうち、料金の算出を行う電力サービスについて加入者数に応じて予め定められた第１付加率（図２参照。）と、である例に適用して説明する。
【００４５】
なお、第１係数としては上述の単位料金および第１付加率であってもよいし、その他の他社に登録されている需要者の数や、契約期間や、キャンペーン期間や、電力会社と需要者との契約期間や、過去の所定期間（例えば１年間など）における電力の使用量や、月毎の電力の使用量の変動（差分や減少）に基づいた係数が含まれていてもよいし、需要家に依存せずに固定されている基本料金が含まれていてもよい。
【００４６】
第３ＤＢ３０は、通信ネットワークを介してサーバ４０と通信可能に接続されるものであり、他社に登録されている需要者の数と、電力料金の算出に用いられる第１係数とは別に定められる第２係数が記憶されるものである。なお、第２係数は、需要者に提供する特典に関する権利を有する他社において設定される係数である。本実施形態では、第２係数が、他社に登録されている需要者の数に基づいて定められる第２付加率である例に適用して説明する。
【００４７】
なお、第２係数としては上述の第２付加率であってもよいし、需要者が他社に登録されている期間や、キャンペーン適用や、電力サービスに加入している期間に基づいた係数であってもよい。
【００４８】
サーバ４０は、需要者の電力使用量に応じた料金である電力料金を算出するものである。本実施形態ではサーバ４０がＣＰＵ（中央演算処理ユニット）、ＲＯＭ、ＲＡＭ、入出力インタフェース等を有する情報処理機器である例に適用して説明する。上述のＲＯＭ等の記憶装置に記憶されているプログラムは、ＣＰＵ、ＲＯＭ、ＲＡＭ、入出力インタフェースを協働させて取得部４１、演算部４２として機能させるものである。
【００４９】
取得部４１は、通信ネットワークを介して第１ＤＢ１０、第２ＤＢ２０、および、第３ＤＢ３０と情報通信可能に接続されるものであり、第１ＤＢ１０から使用量情報を取得し、第２ＤＢ２０から第１係数を取得し、第３ＤＢ３０から第２係数を取得するものである。
【００５０】
演算部４２は、需要者の電力使用量に応じた料金である電力料金を算出するものであり、取得部４１が取得した使用量情報、第１係数、および、第２係数に基づいて電力料金を算出するものである。電力料金の具体的な算出内容については後述する。
【００５１】
次に、上記の構成からなる料金算出システム１における電力料金の算出方法について説明する。料金算出システム１における電力料金の算出は、電力料金の請求を行う時期に合わせて繰り返し行われる。
【００５２】
請求する電力料金を算出する時期になるとサーバ４０の取得部４１は、第１ＤＢ１０から需要者が使用した電力の使用量に関する情報である使用量情報を取得する演算処理を行う（Ｓ１０：使用量情報取得ステップ）。
【００５３】
さらに、第２ＤＢ２０から電力会社から需要者に請求される電力料金の算出に用いられる第１係数を取得する演算処理を行う（Ｓ２０：第１係数取得ステップ）。具体的には、電力の単位使用量あたりの単位料金を取得すると共に、第２ＤＢ２０から電力サービスに紐付けされた需要者の数を取得し、取得した需要者の数に基づいて定まる第１付加率を取得する演算処理を行う。
【００５４】
また、第３ＤＢ３０から電力料金の算出に用いられる第１係数とは別に定められる第２係数を取得する演算処理を行う（Ｓ３０：第２係数取得ステップ）。具体的には、第３ＤＢ３０から他社に登録されている需要者の数を取得し、取得した需要者の数に基づいて定まる第２付加率を取得する演算処理を行う。
【００５５】
なお、上述のように使用量情報を取得する処理（Ｓ１０）を先に行い、第１係数を取得する演算処理（Ｓ２０）および第２係数を取得する演算処理（Ｓ３０）を後に行ってもよいし、第１係数を取得する演算処理（Ｓ２０）および第２係数を取得する演算処理（Ｓ３０）を先に行い、使用量情報を取得する処理（Ｓ１０）を後に行ってもよいし、使用量情報を取得する処理（Ｓ１０）と、第１係数を取得する演算処理（Ｓ２０）および第２係数を取得する演算処理（Ｓ３０）を同時に行ってもよい。
【００５６】
さらに、第１係数および第２係数に変更がない場合には、第１係数を取得する演算処理（Ｓ２０）および第２係数を取得する演算処理（Ｓ３０）を行わずに、以前の電力料金の算出の際に取得した第１係数および第２係数を用いてもよい。
【００５７】
サーバ４０の演算部４２は、取得した使用量情報、第１係数、および、第２係数に基づいて電力料金を算出する演算処理を行う（Ｓ４０：算出ステップ）。具体的には、取得した使用量情報から電力の使用量を求め、求めた使用量に、第１係数として取得した単位使用量あたりの単位料金と、第１付加率と、第２係数として取得した第２付加率とを乗算する（「使用量」×「単位料金」×「第１付加率」×「第２付加率」）ことにより電力料金を算出する演算処理を行う。
【００５８】
上記の構成の料金算出システム１によれば、電力会社が第１係数を定め、他社が第２係数を定めることができるため、電力会社と需要者との間の関係、他社と需要者との間の関係を反映させた料金の算出が可能となる。
【００５９】
また、第１係数を電力料金の算出に用いられる係数とし、第２係数を第１係数とは別に定められる電力料金の算出に用いられる係数とすることにより、電力会社と需要者との間の関係、他社と需要者との間の関係を反映させた電力料金の算出が可能となる。
【００６０】
〔第１の実施形態の第１変形例〕
次に、本発明の第１の実施形態の第１変形例について図４から図６を参照しながら説明する。本変形例の料金算出システムの基本構成は、第１の実施形態と同様であるが、第１の実施形態とは、使用対価を算出することが異なっている。よって、本変形例においては、図４から図７を用いて使用対価の算出に関連する内容ついて説明し、その他の構成等の説明を省略する。
【００６１】
本実施形態の料金算出システム１０１には、図４に示すように、第１ＤＢ１０と、第２データベース１２０（以後「第２ＤＢ１２０」と表記する。）と、第３データベース１３０（以後「第３ＤＢ１３０」と表記する。）と、サーバ（料金算出装置、特典決定装置）１４０と、が主に設けられている。
【００６２】
第２ＤＢ１２０は、通信ネットワークを介してサーバ４０と通信可能に接続されるもの
であり、電力会社と契約を結んだ需要者の数であって電力会社が展開する電力サービスと紐付けされた需要者の数と、電力会社から需要者に請求される電力料金、および、他社に支払われる使用対価（ライセンス料とも表記する。）の算出に用いられる第１係数が記憶されるものである。なお、第１係数は、電力会社または電力サービスにおいて設定される係数である。
【００６３】
本実施形態では、第１係数が、電力の単位使用量あたりの単位料金と、加入者数に応じて予め定められた第１付加率と、電力サービスに基づく第３付加率（図５（ａ）参照。）と、電力サービスの加入者数に基づく第４付加率（図５（ｂ）参照。）と、需要者が電力会社または電力サービスと契約を結ぶに至った経緯に応じて予め定められた第５付加率（図５（ｃ）参照。）と、電力会社または電力サービスから需要者に提供される特典に応じて予め定められた第６付加率（図５（ｄ）参照。）と、である例に適用して説明する。
【００６４】
第３付加率は、電力サービスごとに支払う使用対価を考慮するためのものであり、予め定められたものである。第５付加率は、需要者は他社を経由して電力会社または電力サービスと契約したか、ポータルサイトなどを経由して電力会社または電力サービスと直接契約したかに基づいて予め定められたものである。第６付加率は、電力会社または電力サービスから需要者に提供する特典の量や質に基づいて予め定められたものである。
【００６５】
なお、第１係数には更に、電力会社と契約を結んだ需要者の数に基づく付加率や、他社が需要者に提供する特典に基づく付加率や、電力会社と需要者との契約期間に基づく付加率や、過去の所定期間（例えば１年間など）における電力の使用量に基づく付加率や、キャンペーン期間に基づく付加率や、月毎の電力の使用量の変動（差分や減少）に基づいた付加率が含まれていてもよいし、需要家に依存せずに固定されている基本料金が含まれていてもよい。
【００６６】
第３ＤＢ１３０は、通信ネットワークを介してサーバ４０と通信可能に接続されるものであり、他社に登録されている需要者の数と、電力料金の算出に用いられる第１係数とは別に定められる第２係数が記憶されるものである。なお、第２係数は、需要者に提供する特典に関する権利を有する他社において設定される係数である。本実施形態では、第２係数が、他社に登録されている需要者の数に基づいて定められる第２付加率と、他社の特典に基づいて予め定められた第７付加率（図６参照。）である例に適用して説明する。第７付加率は、電力の供給を受けている需要者に他社が提供する特典の数、質に応じて予め定められたものである。
【００６７】
サーバ１４０は、需要者の電力使用量に応じた料金である電力料金、および、他社に支払われる使用対価を算出するものである。本実施形態ではサーバ１４０がＣＰＵ（中央演算処理ユニット）、ＲＯＭ、ＲＡＭ、入出力インタフェース等を有する情報処理機器である例に適用して説明する。上述のＲＯＭ等の記憶装置に記憶されているプログラムは、ＣＰＵ、ＲＯＭ、ＲＡＭ、入出力インタフェースを協働させて取得部４１、演算部１４２、特典決定部１４３として機能させるものである。
【００６８】
取得部４１は、通信ネットワークを介して第１ＤＢ１０、第２ＤＢ１２０、および、第３ＤＢ１３０と情報通信可能に接続されるものであり、第１ＤＢ１０から使用量情報を取得し、第２ＤＢ１２０から第１係数を取得し、第３ＤＢ１３０から第２係数を取得するものである。
【００６９】
演算部１４２は、需要者の電力使用量に応じた料金である電力料金、および、他社に支払われる使用対価を算出するものであり、取得部４１が取得した使用量情報、第１係数、および、第２係数に基づいて電力料金および使用対価を算出するものである。電力料金お
よび使用対価の具体的な算出内容については後述する。
【００７０】
特典決定部１４３は、演算部１４２において算出された使用対価に基づいて他社から需要家に提供する特典を決定するものである。なお、本実施形態では、特典決定部１４３がサーバ１４０の内部に設けられている例に適用して説明するが、特典決定部１４３は、サーバ１４０とは異なる情報処理機器であってサーバ１４０と情報通信可能に接続された他のサーバに設けられていてもよい。
【００７１】
次に、上記の構成からなる料金算出システム１０１における電力料金および使用対価の算出方法について説明する。料金算出システム１０１における電力料金および使用対価の算出は、電力料金の請求を行う時期に合わせて繰り返し行われる。なお、電力料金を算出する演算内容は、第１の実施形態と同様であるためその説明を省略する。
【００７２】
図７に示すように、サーバ１４０においてＳ１０からＳ４０までの演算処理を行い電力料金が求められると、サーバ１４０の演算部１４２は、使用対価を算出する演算処理を行う（Ｓ１５０）。具体的には、算出された電力料金に、第１係数として取得した第３付加率、第４付加率、第５付加率、第６付加率、第２係数として取得した第７付加率を乗算する（「電力料金」×「第３付加率」×「第４付加率」×「第５付加率」×「第６付加率」×「第７付加率」）ことにより使用対価を算出する演算処理を行う。
【００７３】
演算部１４２により使用対価が算出されると、サーバ１４０の特典決定部１４３は算出された使用対価を取得し、他社から需要家に提供する特典を決定する演算処理を行う。演算処理としては、例えば、使用対価と提供する特典の対応を予め定めたテーブルを準備し、当該テーブルに基づいて提供する特典を決定する演算処理を挙げることができる。
【００７４】
上記の構成の料金算出システム１０１によれば、第１係数に、特典の使用対価の算出に用いられる係数である第３付加率、第４付加率、第５付加率、および第６付加率を加え、第２係数に、第１係数とは別に定められる使用対価の算出に用いられる係数である第７付加率を加えることにより、電力会社と需要者との間の関係、他社と需要者との間の関係を反映させた使用対価の算出が可能となる。
【００７５】
〔第１の実施形態の第２変形例〕
次に、本発明の第１の実施形態の第２変形例について図８および図９を参照しながら説明する。本変形例の料金算出システムの基本構成は、第１の実施形態の第１変形例と同様であるが、第１変形例とは、特典を含む明細書を発行する点が異なっている。よって、本変形例においては、図８および図９を用いて明細書の発行に関連する内容について説明し、その他の構成等の説明を省略する。
【００７６】
本実施形態の料金算出システム２０１には、図８に示すように、第１ＤＢ１０と、第２ＤＢ１２０と、第３ＤＢ１３０と、サーバ（料金算出装置、明細書作成装置）２４０と、が主に設けられている。
【００７７】
サーバ２４０は、需要者の電力使用量に応じた料金である電力料金、および、他社に支払われる使用対価を算出し、需要者に電力料金が記載された明細書の作成を行うものである。本実施形態ではサーバ２４０がＣＰＵ（中央演算処理ユニット）、ＲＯＭ、ＲＡＭ、入出力インタフェース等を有する情報処理機器である例に適用して説明する。上述のＲＯＭ等の記憶装置に記憶されているプログラムは、ＣＰＵ、ＲＯＭ、ＲＡＭ、入出力インタフェースを協働させて取得部４１、演算部１４２、作成部２４３として機能させるものである。
【００７８】
作成部２４３は、演算部１４２において算出された電力料金および使用対価に基づいて需要家に請求する電力料金が記載された明細書を作成するものである。作成部２４３においては、作成する明細書のデータが作成される。作成されたデータは、サーバ２４０から明細書を印刷する印刷機（図示せず）に出力されて、当該印刷機により印刷される。印刷された明細書は需要者に送付される。または、作成部２４３において電子的な明細書（電子明細書）が作成される。作成された電子明細書は需要者に電子メールなどを用いて送付される。
【００７９】
なお、本実施形態では、作成部２４３がサーバ２４０の内部に設けられている例に適用して説明するが、作成部２４３は、サーバ２４０とは異なる情報処理機器であってサーバ２４０と情報通信可能に接続された他のサーバに設けられていてもよい。
【００８０】
次に、上記の構成からなる料金算出システム２０１における明細書の作成方法について説明する。料金算出システム２０１における明細書の作成は、電力料金の請求を行う時期に合わせて繰り返し行われる。なお、電力料金および使用対価を算出する演算内容は、第１の実施形態の第１変形例と同様であるためその説明を省略する。
【００８１】
図９に示すように、サーバ２４０においてＳ１０からＳ１５０までの演算処理を行い電力料金および使用対価が求められると、サーバ２４０の作成部２４３は、明細書を作成する演算処理を行う（Ｓ２６０）。演算処理としては、予め定められた明細書のフォーマットにおける所定位置に算出された電力料金を表示するとともに、例えば、明細書の電力料金が表示される面と反対側の面に、求められた使用対価に応じた特典（写真など）を表示する処理を例示することができる。
【００８２】
上記の構成の料金算出システム２０１によれば、電力会社は特典が含まれた明細書を作成することができる。明細書に含まれる特典は、電力会社と他社との間で使用対価と対応づけがされているものであって、予め使用できる範囲が定められたものを例示することができる。
【００８３】
〔第２の実施形態〕
次に、本発明の第２の実施形態に切替えシステム３０１について図１０および図１１を参照して説明する。本実施形態では、本発明の切替えシステム３０１を、需要者、電力を需要者に供給する複数の電力サービスを展開する電力会社、および、需要者に提供される特典に関する権利を有する他の会社（以後「他社」とも表記する。）において、需要者が電力の供給を契約している電力サービスの切替えに用いられるシステムに適用して説明する。
【００８４】
本実施形態の切替えシステム３０１には、図１０に示すように、第１ＤＢ１０と、第２ＤＢ１２０と、第３ＤＢ１３０と、電力料金サーバ（料金算出装置）３４０と、特典決定サーバ（特典決定装置）３５０と、切替えサーバ（切替え装置）３６０と、が主に設けられている
第１ＤＢ１０は、電力会社の管理下にあるデータベースであり、需要者が使用した電力の使用量に関する情報である使用量情報が記憶されるものである。第１ＤＢ１０の詳細については第１の実施形態と同様であるため、その説明を省略する。
【００８５】
第２ＤＢ１２０は、需要者に電力を供給する電力会社において設定され、需要者に提供する特典に関する権利を有する他社から需要家に提供する特典の決定に用いられる第１係数が記憶されるものである。第２ＤＢ１２０および第１係数の詳細については、第１の実施形態の第１変形例と同様であるため、その説明を省略する。
【００８６】
第３ＤＢ１３０は、他社において設定され、他社から需要家に提供する特典の決定に用いられる第２係数が記憶されるものである。本実施形態のように複数の他社（他社Ａおよび他社Ｂ）の場合には、他社Ａにおいて設定される第３ＤＢ１３０Ａ、他社Ｂにおいて設定される第３ＤＢ１３０Ｂが設けられている。第３ＤＢ１３０Ａには、他社Ａから需要家に提供する特典の決定に用いられる第２係数が記憶され、第３ＤＢ１３０Ｂには、他社Ｂから需要家に提供する特典の決定に用いられる第２係数が記憶される。第２係数の詳細については、第１の実施形態の第１変形例と同様であるため、その説明を省略する。
【００８７】
電力料金サーバ３４０は、需要者の電力使用量に応じた料金である電力料金を算出するものであり、第１の実施形態の第１変形例におけるサーバ１４０に対応するものである。電力料金サーバ３４０における構成および演算処理の内容は、第１の実施形態の第１変形例のサーバ１４０と同様であるため、その説明を省略する。
【００８８】
特典決定サーバ３５０は、使用量情報と、第１係数および第２係数の少なくとも一方に基づいて他社から需要家に提供する特典を決定するものである。本実施形態のように複数の他社（他社Ａおよび他社Ｂ）の場合には、他社Ａから需要家に提供する特典を決定する特典決定サーバ（特典決定装置）３５０Ａ、他社Ｂから需要家に提供する特典を決定する特典決定サーバ（特典決定装置）３５０Ｂが設けられている。
【００８９】
切替えサーバ３６０は、特典決定サーバ３５０と、第１ＤＢ１０および第２ＤＢ１２０との間の情報通信の許可および不許可を切替え制御するものである。本実施形態では切替えサーバ３６０がＣＰＵ（中央演算処理ユニット）、ＲＯＭ、ＲＡＭ、入出力インタフェース等を有する情報処理機器である例に適用して説明する。上述のＲＯＭ等の記憶装置に記憶されているプログラムは、ＣＰＵ、ＲＯＭ、ＲＡＭ、入出力インタフェースを協働させて入出力部３６１、記憶部３６２、制御部３６３として機能させるものである。
【００９０】
入出力部３６１は、第１ＤＢ１０、第２ＤＢ１２０、第３ＤＢ１３０および特典決定サーバ３５０と情報通信可能に接続されるものである。さらに、入出力部３６１は、需要者が操作する外部のパーソナルコンピュータや、デスクトップ型コンピュータや、ノート型コンピュータや、タブレット型コンピュータなどの情報端末３７０と他社Ａおよび他社Ｂの選択（言い換えると、特典決定サーバ３５０Ａおよび特典決定サーバ３５０Ｂの選択）を変更する切替え指示信号が入力可能に接続されるものである
記憶部３６２は、需要者を特定する需要者情報と、当該需要者が選択した他社Ａまたは他社Ｂを特定する（言い換えると、特典決定サーバ３５０Ａまたは特典決定サーバ３５０を特定する）他社情報と、を紐付けして記憶するものである。
【００９１】
制御部３６３は、記憶部３６２に紐付けされた記憶された需要者情報および他社情報に基づき、需要者情報に対応する需要者について特典を決定する処理を行う場合に、他社情報に対応する特典決定サーバ３５０が第１ＤＢ１０から使用量情報の取得すること、第２ＤＢ１２０から第１係数の取得することを許可する制御を入出力部３６１に対して行うものである。
【００９２】
制御部３６３は、さらに、情報端末３７０から入力された切替え指示信号に基づいて、記憶部３６２に記憶された需要者情報に紐付けされた他社情報を、切替え指示信号に係る他社情報に変更する制御を行うものでもある。
【００９３】
次に、上記の構成からなる切替えシステム３０１における切替えの制御内容について説明する。切替えシステム３０１における切替え制御は、特典決定サーバ３５０により特典が決定される演算処理が行われるタイミングに合わせて繰り返し行われる。
【００９４】
図１１に示すように、切替えサーバ３６０の入出力部３６１に、特典決定サーバ３５０（例えば特典決定サーバ３５０Ａ）からアクセスを要求する要求信号が入力され、入出力部３６１は当該要求信号を取得する演算処理を行う（Ｓ３１０：入力ステップ）。要求信号は、特典決定サーバ３５０Ａから第１ＤＢ１０および第２ＤＢ１２０の少なくとも一方へのアクセスを要求する信号である。
【００９５】
アクセスを要求するデータベースは、提供する特典を決定する際に必要な情報に基づいて決まるものであり、第１ＤＢ１０のみへのアクセスの要求であってもよいし、第２ＤＢ１２０のみへのアクセスの要求であってもよいし、第１ＤＢ１０および第２ＤＢ１２０の両者へのアクセスの要求であってもよい。また要求信号には、当該特典決定サーバ３５０Ａを特定する他社情報、および、提供する特典を決定する需要者を特定する需要者情報が含まれている。
【００９６】
切替えサーバ３６０の制御部３６３は、記憶部３６２に記憶された需要者情報およびこれに紐付けされた他社情報と、要求信号に含まれる他社情報および需要者情報と、を比較して一致するか否かを判定する処理を行う（Ｓ３２０：比較ステップ）。
【００９７】
記憶部３６２に記憶された需要者情報およびこれに紐付けされた他社情報の組み合わせと、要求信号に含まれる他社情報および需要者情報の組み合わせが一致していると判定された場合（ＹＥＳの場合）には、制御部３６３は、特典決定サーバ３５０Ａから第１ＤＢ１０および第２ＤＢ１２０の少なくとも一方へのアクセスを許可する演算処理を行う（Ｓ３２０：許可ステップ）。制御部３６３は、入出力部３６１に対して、特典決定サーバ３５０Ａから第１ＤＢ１０および第２ＤＢ１２０の少なくとも一方へのアクセスを可能とする制御信号を出力する。
【００９８】
その一方で、Ｓ３１０の判定において一致しないと判定された場合（ＮＯの場合）には、制御部３６３は、特典決定サーバ３５０Ａから第１ＤＢ１０および第２ＤＢ１２０の少なくとも一方へのアクセスを不許可とする演算処理を行う（Ｓ３３０）。制御部３６３は、入出力部３６１に対して、特典決定サーバ３５０Ａから第１ＤＢ１０および第２ＤＢ１２０の少なくとも一方へのアクセスを禁止とする制御信号を出力する。
【００９９】
上記の構成の切替えシステム３０１によれば、需要者情報に対応する需要者について特典を決定する処理を行う場合に、第１ＤＢ１０から使用量情報の取得、第２ＤＢ１２０から第１係数の取得が可能となる。そのため、他社の特典決定サーバ３５０が制限なく電力会社の管理下にある第１ＤＢ１０や第２ＤＢ１２０にアクセスすることが抑制される。
【０１００】
また、電力会社が展開する複数の電力サービス（複数の電力サービスのそれぞれが、異なる他社と提携関係を結んでいる）の間で電力の購入先を変更した場合には、需要者情報に紐付けされた他社情報を、変更後の電力サービスと提携した他社に関する他社情報に変更するだけでよい。
【０１０１】
切替えサーバ３６０と情報通信可能な情報端末３７０を設けることにより、記憶部３６２に記憶された需要者情報に紐づけされた他社情報を、需要者は外部の情報端末３７０から別の他社情報に変更することができる。そのため、需要者は外部の情報端末３７０から電力会社が展開する電力サービス、および、これと提携する他社を変更する手続をおこなうことができる。
【０１０２】
なお、本発明の技術範囲は上記実施形態に限定されるものではなく、本発明の趣旨を逸脱しない範囲において種々の変更を加えることが可能である。例えば、本発明を上記の実施形態に適用したものに限られることなく、これらの実施形態を適宜組み合わせた実施形
態に適用してもよく、特に限定するものではない。
【符号の説明】
【０１０３】
１，１０１，２０１…料金算出システム、１０…第１データベース、２０，１２０…第２データベース、３０，１３０…第３データベース、４０…サーバ（料金算出装置）、１４０…サーバ（料金算出装置、特典決定装置）、２４０…サーバ（料金算出装置、明細書作成装置）、４１…取得部、４２，１４２…演算部、１４３…特典決定部２４３…作成部、３０１…切替えシステム、３４０…電力料金サーバ（料金算出装置）、３５０…特典決定サーバ（特典決定装置）、３６０…切替えサーバ（切替え装置）、３６１…入出力部、３６２…記憶部、３６３…制御部、３７０…情報端末、Ｓ１０…使用量情報取得ステップ、Ｓ２０…第１係数取得ステップ、Ｓ３０…第２係数取得ステップ、Ｓ４０…算出ステップ、Ｓ３１０…入力ステップ、Ｓ３２０…比較ステップ、Ｓ３２０…許可ステップ
【図１】
2018173872.tif 000003
【図２】
2018173872.tif 000004
【図３】
2018173872.tif 000005
【図４】
2018173872.tif 000006
【図５】
2018173872.tif 000007
【図６】
2018173872.tif 000008
【図７】
2018173872.tif 000009
【図８】
2018173872.tif 000010
【図９】
2018173872.tif 000011
【図１０】
2018173872.tif 000012
【図１１】
2018173872.tif 000013